(57)【要約】【課題】  建物や自動車の窓ガラスまたはショーケースにおける板ガラスの破壊、開放または移動を検知し、板ガラスへ導電線を配設しての通電を必要としないガラス破壊移動検知システムを提供し、板ガラスを破壊、開放または移動しての不法侵入、窃盗を察知することを目的とする。【解決手段】  電波発振器と、該電波発振手段が発信した電波を遮蔽する板ガラスと、該板ガラスを挟んで電波発振器の反対側に設けられた受信器からなり、電波強度を受信器で測定し、板ガラスの破壊または移動に伴う板ガラスの消失を電波強度の変化により検知すること特徴とするガラス破壊移動検知システム。【選択図】図１
2005189124.tif 000002
【特許請求の範囲】
【請求項１】
電波発振器と、該電波発振手段が発信した電波を遮蔽する板ガラスと、該板ガラスを挟んで電波発振器の反対側に設けられた受信器からなり、電波強度を受信器で測定し、板ガラスの破壊または移動に伴う板ガラスの消失を電波強度の変化により検知すること特徴とするガラス破壊移動検知システム。
【請求項２】
電波発振器と、該電波発振手段が発信した電波を遮蔽する板ガラスと、該板ガラス該板ガラスに対して電波発振器側に設けられた受信器からなり、該板ガラスで反射する電波の電波強度を受信器で測定し、板ガラスの破壊または移動に伴う板ガラスの消失を電波強度の変化により検知すること特徴とするガラス破壊移動検知システム。
【請求項３】
電波発振器と、該電波発振手段が発信した電波を遮蔽する板ガラスと、該板ガラスを挟んで電波発振器側および電波発振器の反対側の両方に設けられた受信器からなり、電波強度を両方の受信器で測定し、板ガラスの破壊または移動に伴う板ガラスの消失を電波強度の変化により検知すること特徴とするガラス破壊移動検知システム。
【請求項４】
前記板ガラスは表面に電波を遮蔽する被膜を設けて電波を遮蔽する板ガラスであることを特徴とする請求項１乃至請求項３のいずれか１項に記載のガラス破壊移動検知システム。
【請求項５】
前記板ガラスが複層ガラスであることを特徴とする請求項１乃至請求項４のいずれか１項に記載のガラス破壊移動検知システム。
【請求項６】
前記板ガラスが強化ガラスであることを特徴とする請求項１乃至請求項５のいずれか１項に記載のガラス破壊移動検知システム。
【請求項７】
前記板ガラスが合わせガラスであることを特徴とする請求項１乃至請求項６のいずれか１項に記載のガラス破壊移動検知システム。
【発明の詳細な説明】
【技術分野】
【０００１】
本発明は建物または自動車等への不法侵入、ショーケース内の貴金属等の窃盗を察知するシステムに関し、装置建物または自動車の窓ガラス、および板ガラスより作製されたショーケースにおけるガラスの破壊および開放・移動を検知するガラス破壊移動検知システムである。
【背景技術】
【０００２】
近年、住宅の窓ガラスまたはドアを破壊しての侵入盗や、自動車の窓ガラスを破壊しての窃盗による被害が増加している。加えて、ショーケース自体の破壊、鍵の破壊、開錠によるショーケース内部の貴金属類の窃盗があり、このような住宅の窓ガラスまたはドア、自動車の窓の破壊、ショーケースの破壊や不正な移動等を検知して、窃盗等を防ぐ以下の技術が知られている。
【０００３】
例えば、特許文献１または特許文献２には、ガラス面に接着して使用し、ガラスが破壊される際に発生する振動や音をピックアップするガラス破壊検知器が開示されている。これら公報に記載のガラス破壊検知器は、電池または電源から電力を検知器に供給する必要があるが、電池は定期的な交換が必要である。一方、電源からの電力の供給はガラス破壊検知器までの配線が必要であるが、引き違い窓等では、配線が剥き出しにならないように配線し難い。また、ガラスに検知器を固定する際に使用した接着材の劣化等による検知器の脱落や、衝撃による脱落、誤動作の懸念がある。更に、一般的に住宅の引き違い窓に使われるサッシは強度が低く、外枠のサッシと内枠のサッシの間にバール等を入れて、ガラスを割らずに強制的に窓を開けての侵入には対応し難い。
【０００４】
一方、特許文献３には、住宅等建造物の開口部に用いるガラスであって、該ガラスの幅方向の面には侵入物の幅よりも小さい間隔に導電性物質からなる回路網が配設されていて電気回路を構成しており、該ガラスの損壊時には該導電性物質からなる回路網が同時に損壊されて該電気回路が切断状態となり、警報装置が作動する防犯機能を有するガラスが開示されている。しかしながら、ドライバー等により窓ガラスを突き破りクレセント錠を開錠する住宅等の侵入被害において、ドライバーによって開けられた穴はドライバーの直径に近い小さい穴で、概侵入被害に対応するには、電気回路の線間の間隔が狭くなり、透光性等窓としての機能を損なう必要がある。針金を封入しガラス内に電気回路を構成すると、ガラスは破壊されたとしても、針金は切断せずに破壊を検知しない懸念がある。更に、回路網に通電することによる漏電等の懸念がある。また、引き違い窓のような可動の窓に対しては配線し難いこと、および、前述のバール等を使ったガラスを割らずに強制的に窓を開ける侵入に対応し難い。
【０００５】
一方、特許文献４には、表面に導電部材を形成した板ガラスを建物に開口部に配設して、電源部を前記導電部材に接続して通電を行い、検知部を前記導電部材に接続して前記導電部材の破損による抵抗値の変化を検知することによって建物への不正な侵入を検知するような構成としたセキュリティセンサーが開示されている。しかしながら、引き違い窓のような可動の窓に対しては配線がし難く、また通電しているので、通常の使用における漏電の懸念がある。更に、前述のバールを使ったガラスを割らずに強制的に窓を開ける方法にも対応できない等の懸念がある。
【０００６】
非特許文献１には、防犯性能が期待できるガラスとして、合わせガラスが紹介されている。しかしながら、単板のガラスに替えて合わせガラスを用いたとしても、破壊に要する時間が伸びるだけでは、合わせガラスを破壊し侵入すること可能である。また、合わせガラスを用いたとしても、引き違い窓においては前述のバールを使ったガラスを割らずに強制的に窓を開ける方法にも対応できない。
【０００７】
その他にビデオカメラを使った監視等も知られている。しかしながら、ビデオカメラによる監視においては、常に監視する必要があることや、例えば住宅の窓においてカメラが室内にある場合は、カーテン等が窓とカメラの間にあると破壊行為が行われているかの判別が難しくなる。
【特許文献１】特開２０００−４８２６８号公報
【特許文献２】特許第３３８７５７２号
【特許文献３】特開２００２−１６３７３２号公報
【特許文献４】特開２００３−１８７３４４号公報
【非特許文献１】機能ガラス普及推進協議会が策定した「防犯ガラスの手引き（２００２．３）」中の「ガラスの防犯性能に関する板硝子協会基準」
【発明の開示】
【発明が解決しようとする課題】
【０００８】
本発明は、建物や自動車の窓ガラスまたはショーケースにおける板ガラスの破壊、開放または移動を検知し、板ガラスへ導電線を配設しての通電を必要としないガラス破壊移動検知システムを提供し、板ガラスを破壊、開放または移動しての不法侵入、窃盗を察知することを目的とする。
【課題を解決するための手段】
【０００９】
本発明のガラス破壊移動検知システムは、建築物、自動車の窓ガラスまたはショーケースを構成する板ガラスに電波を遮蔽する板ガラスを用い、該板ガラスの室内側と室外側のいずれか一方に電波発振器を設置し、ガラスを挟んで、電波発振器の反対側、電波発振器側のいずれか一方、または両方に受信器を設置し、板ガラスが破壊、開放または移動された際に、電波の強度が変化することを受信器で検知するガラス破壊移動検知システムであり、板ガラスを破壊、開放または移動しての不法侵入を建物の内部、外部、遠方から察知するものである。
【００１０】
本発明は、電波発振器と、該電波発振手段が発信した電波を遮蔽する板ガラスと、電波発振器側の反対側に設けられた受信器からなり、電波強度を受信器で測定し、板ガラスの破壊または移動に伴う板ガラスの消失を電波強度の変化により検知すること特徴とするガラス破壊移動検知システムである。
【００１１】
更に、本発明は、電波発振器と、該電波発振手段が発信した電波を遮蔽する板ガラスと、該板ガラスに対して電波発振器側に設けられた受信器からなり、該板ガラスで反射する電波の電波強度を受信器で測定し、板ガラスの破壊または移動に伴う板ガラスの消失を電波強度の変化により検知すること特徴とするガラス破壊移動検知システムである。
【００１２】
更に、本発明は、電波発振器と、該電波発振手段が発信した電波を遮蔽する板ガラスと、該板ガラスを挟んで電波発振器側および電波発振器の反対側の両方に設けられた受信器からなり、電波強度を両方の受信器で測定し、板ガラスの破壊または移動に伴う板ガラスの消失を電波強度の変化により検知すること特徴とするガラス破壊移動検知システムである。
【００１３】
本発明のガラス破壊移動検知システムにおいて、板ガラスによる電波の遮蔽は板ガラス表面に板ガラス表面に導電膜を被覆することで、入射電波によって誘起される表面の表皮電流により電波を反射して遮蔽する。
【００１４】
更に、本発明は、前記板ガラスは表面に電波を遮蔽する被膜が設けて電波を遮蔽する板ガラスであることを特徴とする上記のガラス破壊移動検知システムである。
【００１５】
更に、本発明は、前記板ガラスが複層ガラスであることを特徴とする上記のガラス破壊移動検知システムである。
【００１６】
更に、本発明は、前記板ガラスが強化ガラスであることを特徴とする上記のガラス破壊移動検知システムである。
【００１７】
更に、本発明は、前記板ガラスが合わせガラスであることを特徴とする上記のガラス破壊移動検知システムである。
【発明の効果】
【００１８】
本発明のガラス破壊移動検知器は、建築物、自動車の窓およびショーケースにおける、板ガラスの破壊および開放、移動のどれをも検知し、また板ガラスに導電線を配設しての通電を必要とせず、さらに開口部と検知器の間にカーテン等が設置されても検知に支障を来たすことはない。
【発明を実施するための最良の形態】
【００１９】
板ガラスで電波を遮蔽するには、板ガラス表面に導電膜を被覆する。
【００２０】
図１は、本発明のガラス破壊移動検知システムの概念を説明するための斜視図である。
【００２１】
図１に示すように、電波発振器１より板ガラスＧに入射した電波は、板ガラスＧが、例えば、導電膜付き板ガラスであり電波を遮蔽する板ガラスＧであれば、電波は反射され板ガラスＧを通過することなく遮蔽される。このとき、板ガラスＧに対し電波発振器１側に配設された受信器２は電波を検知するが、板ガラスＧを挟んで電波発振器１の反対側に配設された受信器３は電波を検知しない。
【００２２】
一方、板ガラスＧが割れるか、または移動し消失したとすると、受信器２が検知する電波強度は小さくなり、受信器３が受信する電波強度は格段に大きくなり、電波強度が板ガラスＧの消失の前後で変化する。本発明のガラス破壊移動検知システムにおいて、誤動作防止のため予め任意に設定した変化範囲を外れ、強度変化が著しい時は、板ガラスＧに破壊や移動等の異常が生じたとして、板ガラスＧの破壊移動を検知する。
【００２３】
一方、国際電気通信条約によって「電波」と定められているものは、周波数が３ＴＨｚ（３テラヘルツ；３×１０１２Ｈｚ）以下である。このうちで、本発明のガラス破壊移動検知システムに使用する電波は、導電膜を被覆したガラスの電波遮蔽特性に見合う周波数の電磁波を使用することが好ましい。特に波長が短い１ＧＨｚ以上の電波を用いることで電波の指向性が高まり、周囲の物体によるノイズの影響が少なくなるのでより好ましい。１ＧＨｚ以上の電波としては、例えば無線ＬＡＮに用いられる２．４５ＧＨｚの電波で、電波法で問題のない１０ｍＷ以下の出力で電磁波の強度が９０ｄＢ以上の電波が挙げられる。
【００２４】
板ガラスＧの電波を遮蔽する性能は、破壊や移動の際に生じる電波の強度変化が検知できればよく、好ましくは受信器２または受信器３が検知する電波を受信利得で１０ｄＢ以上、好ましくは２０ｄＢ以上遮蔽すれば、板ガラスＧの消失時における電波の強度変化が大きくなり、破壊および移動を察知し易い。
【００２５】
また、本発明において、電波発振器１を配設する替わりに、周囲に放送局があり、放送電波が強い場合は放送電波を用いることが可能で、配設した電波発振器１の電波と放送電波とを併用してもよい。
【００２６】
一方、本発明において板ガラスＧで覆われていない部分については、金網やフェライト系のシートなどで電波を遮蔽することで、板ガラスＧの破壊や移動で生じる強度変化をより察知し易くなる。
【００２７】
また、採光および透視性が要求される窓やショーケース用に用いられる板ガラスＧは、ソーダライムシリケートガラスやホウケイ酸塩ガラス、シリカガラス、結晶化ガラス等の透明な無機板ガラス、アクリル、ポリカーボネート、または塩化ビニール等の透明性プラスチックスからなる有機板ガラスを単独または組合せて用いられ、本発明のガラス破壊移動検知システムに使用できる。本発明のガラス破壊移動検知システムにおいて、板ガラスＧにスパッタリング、蒸着または導電膜形成用塗布液を塗布する等して、金属薄膜をその表面に導電膜として被覆すると、板ガラスＧが電波を遮蔽する。板ガラスＧの有する本来の透明性を損なわず熱線遮蔽等の付加価値を加えられるので、特に、板ガラスＧに透明導電膜を被覆することが好ましい。このような透明導電膜には、インジウムとスズのドープ酸化膜であるＩＴＯ膜、Ａｇ膜、Ａｇ膜と誘電体膜を積層した膜、酸化錫膜、言い換えれば、ＮＥＳＡ膜等がある。
【００２８】
尚、板ガラスＧと、導電性を有する金属板や金属メッシュと積層することが挙げられるが、採光、透視性が損なわれる。
【００２９】
本発明のガラス破壊移動検知システムに使用する電波を遮蔽する板ガラスＧは、複層ガラスとすることが好ましい。複層ガラスは、断熱効果、遮音効果等のために、複数の板ガラスＧの間に内部空間を設けたガラスである。内部空間内は、通常、空気であるが、更に、断熱効果、遮音効果を高めるために、内部空間を減圧し真空状態とする、またはガスを充填することがある。例えば、電波を遮蔽する導電膜を複層ガラスの内部空間側のガラス面に被覆すると、導電膜の傷つきや空気中の水分による劣化等を防げる。更に、複層ガラスにおける室外側のガラスの内部空間側に導電膜を被覆すると、室外側のガラスが破壊された際に受信器２または受信器３に受信する電波の強度が変化するので、より早期にガラスの破壊を検知することができる。
【００３０】
強化ガラスは、板ガラスを軟化点近くまで加熱したあと、空気を吹きつけ冷却し、ガラス表面に圧縮層を持たせたものであり、普通のガラスに比べて強度が高い。またこの強化ガラスに導電膜を被覆すると、割れた場合は強化ガラス全体が細粒状の破片になり脱落するため、受信器２または受信器３に受信する電波の強度が大きく変化するので、本発明のガラス破壊移動検知システムにより板ガラスＧの破壊がより検知し易い。
【００３１】
合わせガラスは、割れた際のガラス飛散防止等のために、複数の板ガラスＧに接着材フィルムを挟み接着一体化したものであり、通常、透明性を損なわないために、ポリビニルブチラール、即ち、ＰＶＢ、エチレンビニルアセテート、即ち、ＥＶＡ、アクリル系透明樹脂およびウレタン系透明樹脂等がガラス間に挟まれ接着層とされ、中間層が打ち破り難いため、板ガラスＧのみ、言い換えれば板ガラス単板に比べ防犯効果が高い。よって、本発明のガラス破壊移動検知システムに、合わせガラスを用いることが好ましい。また、接着層に、ポリカーボネートシートまたはポリエチレンテレフタレートシートを積層させると、更に打ち破り難くなり一層の効果が得られる。この合わせガラスの中間層側のガラス面に、電波を遮蔽する導電膜を被覆すれば、膜の傷つきや劣化等を防ぐ効果がある。
【００３２】
合わせガラスを用いることで板ガラスＧのみより、侵入者が破壊に要する時間が格段に延び、また中間層の厚みが厚ければ厚いほど、中間層が複数の層からなるときはその各層の厚みが厚ければ厚いほどその破壊に要する時間が更に延びる。
【００３３】
例えば、各層およびその厚みで表して、板ガラス、３ｍｍ／中間層、ＰＶＢ３０ｍｉｌ（０．７６ｍｍ）／板ガラス、３ｍｍの積層構成の合わせガラスは、板硝子協会の基準（２００３年３月）でＰ２Ａ・Ｐ２Ｋの防犯性能を有する。板ガラス、２．５ｍｍ／中間層、ＰＶＢ６０ｍｉｌ（１．５２ｍｍ）／板ガラス、２．５ｍｍの積層構成の合わせガラスは板硝子協会の基準（２００３年３月）でＰ４Ａ・Ｐ３Ｋの防犯性能を有する。更に、前記合わせガラスを用いた場合、中間膜が打ち破り難く容易に破壊することができないため、合わせガラスを打ち破っての浸入が困難となり防犯性が向上する。合わせガラスを用いたことで、侵入者がガラスを破壊することを諦め、例えば、窓ガラスをサッシごと外す等したときも、板ガラスの消失を察知し本発明のガラス破壊移動検知システムは有効に作動する。尚、合わせガラスの中間層であるＰＶＢには、一般に紫外線吸収性能が付与されていることから、合わせガラスは紫外線遮蔽効果があり、住宅の窓等に用いると、室内の家具等の退色を抑制する効果がある。
【００３４】
また、本発明のガラス破壊移動検知システムは、窓が開いた状態であることを検知し、窓の閉め忘れを知らせる。住宅の窓に電波を遮蔽するガラスを用い本発明のガラス移動破壊検知システムを用いれば、不法侵入を目的とする者が、電波を遮蔽する窓ガラスを破壊した際に、本発明のガラス移動破壊検知システムが有効に働き、窓ガラスの破壊を検知することで、ベル音による侵入者への警告、警備会社に異常を通報する等の対処を行える。
【００３５】
また、本発明のガラス破壊移動検知システムを、自動車に使用する場合は、電波発振器１を車内側に、電波受信器３を社外側、好ましくは該自動車を保管する車庫に電波受信器３を設ければ、車庫において、自動車のドアが不法に開けられたことを検知し、ベル音による侵入者への警告、警備会社に異常を通報する等の対処を行える。
【実施例】
【００３６】
実施例１
図２は、実施例１に使用した複層ガラスの部分拡大概略断面図である。
【００３７】
板厚３ｍｍの板ガラスＧ１、中間層４（ＰＶＢ、層厚３０ｍｉｌ、即ち、０．７６ｍｍ）、板厚３ｍｍの板ガラスＧ２の構成からなる合わせガラス５を用い、該合わせガラス５、ガラス面の間の間隔が６ｍｍである内部空間６、板厚３ｍｍの板ガラスＧ３からなる構成の、大きさ５００ｍ×５００ｍｍの図２に示す複層ガラスを用意した。尚、板ガラスＧ３の内部空間側の面には、面積抵抗値が１０Ω／□となるように、予め、ＺｎＯ／Ａｇ／ＺｎＯの積層構成の電磁遮蔽膜７をスパッタリング法により成膜した。
【００３８】
次いで、周波数１ＧＨｚの電波に対する前記複層ガラスの電磁遮蔽性能を米国の規格である、ＭＩＬ−ＳＴＤ−２８５（ＭＩＬＩＴＡＲＹ  ＳＴＡＮＤＡＲＡＤ  ２８５：電磁関係の試験に用いる電磁シールド室の減衰量測定法）の挿入損失法に準拠して、前記複層ガラスによる電波の減衰を測定した。
【００３９】
幅１８３０ｍｍ、奥行１２００ｍｍ、高さ１２００ｍｍの金属製シールドボックスに５００ｍｍ×５００ｍｍのサイズの前記複層ガラスが納まる開口部を１個設けた。開口部から２６５０ｍｍ離れた位置に発振器１を設け、開口部からシールドボックス内部へ向け、２１０ｍｍ離れた位置に受信器２を設けた。発振器１から、１ＧＨｚの電磁波を発振し、開口部に前記複層ガラスを取り付けたところ、取り付け前の複層ガラスがない状態から、電波の受信強度が２０ｄＢ減衰した。２０ｄＢの減衰は本発明のガラス破壊移動検知システムにおいて、ガラスの破壊移動によるガラスの消失を検知するに十分な強度である。
【００４０】
更に、ＺｎＯ／Ａｇ／ＺｎＯの構成の面積抵抗値が１０Ω／□の電磁遮蔽膜７が被覆された板ガラスＧ３を室外側とし、ボックスに設けた開口部にはめ込んだ前記複層ガラスの電磁遮蔽膜７が被覆されたガラスＧ３のみをバールで打ち破り、径、２００ｍｍの穴をあけたところ、電波の受信強度が１５ｄＢ減衰した。１５ｄＢの減衰は本発明のガラス破壊移動検知システムにおいて、ガラスの破壊移動によるガラスの消失を検知するに十分な強度である。
【００４１】
また、複層ガラスを構成する室内側の板ガラスを、板厚３ｍｍの板ガラスＧ１、中間層４（ＰＶＢ、層厚３０ｍｉｌ、即ち、０．７６ｍｍ）、板厚３ｍｍの板ガラスＧ２の構成からなる合わせガラス５としたことで、中間膜が打ち破り難いため、バールによる打ち破りに対して容易に破壊することができなかった。
比較例
実施例１の構成の複層ガラスにおける室外側の板ガラスＧ３の内部空間側に、ＺｎＯ／Ａｇ／ＺｎＯの積層構成からなる電磁遮蔽膜７の被覆を行わず、米国規格であるＭＩＬ−ＳＴＤ−２８５の挿入損失法に準拠して、前記複層ガラスによる電波の減衰を測定したところ、複層ガラスは１ＧＨｚの電波を遮蔽することできず、本発明のガラス破壊移動検知システムに用いることができない。
【図面の簡単な説明】
【００４２】
【図１】本発明のガラス破壊移動検知システムの概念を説明するための斜視図である。
【図２】実施例１に使用した複層ガラスの部分拡大概略断面図である。
【符号の説明】
【００４３】
Ｇ、Ｇ１、Ｇ２、Ｇ３  板ガラス
１                    電波発振器
２、３                電波受信器
４                    中間層
５                    合わせガラス
６                    内部空間
７                    電磁遮蔽膜
【図１】
2005189124.tif 000003
【図２】
2005189124.tif 000004